(57)【要約】【課題】洗顔料を使用して洗顔をするに際して、非常にきめ細かなクリーミィな泡をより多く発生させ得るとともに、かつその大量のきめ細かなクリーミィな泡・泡立ちを良好に持続し得て、毛穴の奥や小鼻の脇などの落ちにくい顔の汚れや古い角質の除去などの洗顔動作を、より繊細な使用感覚とタッチで行うことを可能とし、結果として、より精美で優れた洗顔効果を得ることを可能にする洗顔用具とその洗顔用具を用いた洗顔用泡立て方法を提供すること。【解決手段】単繊維繊度が０．００１ｄｔｅｘ以上、１ｄｔｅｘ以下の合成繊維で構成された布帛（ａ）２と、編目密度が２０個／ｃｍ2 以上、１０００個／ｃｍ2 以下である編物（ｂ）３からなり、かつ該編物（ｂ）が複数枚積層された構成で使用され、全体が袋状物に形成されてなる洗顔用具であり、また該洗顔用具を用いた洗顔用泡立て方法。【選択図】図１
2007296018.tif 000002
【特許請求の範囲】
【請求項１】
単繊維繊度が０．００１ｄｔｅｘ以上、１ｄｔｅｘ以下の合成繊維で構成された布帛（ａ）と、編目密度が２０個／ｃｍ2 以上、１０００個／ｃｍ2 以下である編物（ｂ）からなり、かつ該編物（ｂ）が複数枚積層された構成で使用され、全体が袋状物に形成されてなることを特徴とする洗顔用具。
【請求項２】
前記編物（ｂ）が複数枚積層された構成で使用されている該編物（ｂ）積層部分における単位面積当たりの総繊維表面積が１．０ｍ2 ／ｍ2 以上、１００ｍ2 ／ｍ2 以下であることを特徴とする請求項１に記載の洗顔用具。
【請求項３】
前記編物（ｂ）が複数枚積層された構成で使用されている該編物（ｂ）積層部分における単位面積当たりの総編目個数が５０個／ｃｍ2 以上、５０００個／ｃｍ2 以下であることを特徴とする請求項１または２記載の洗顔用具。
【請求項４】
前記布帛（ａ）が、単繊維繊度０．００１ｄｔｅｘ以上、０．０２ｄｔｅｘ以下の極細合成繊維が織成されてなる極細合成繊維織物であることを特徴とする請求項１〜３のいずれかに記載の洗顔用具。
【請求項５】
前記布帛（ａ）を構成する極細合成繊維が、丸断面の極細合成繊維であることを特徴とする請求項４記載の洗顔用具。
【請求項６】
前記編物（ｂ）が、実質的にプレーンな編物生地であることを特徴とする請求項１〜５のいずれかに記載の洗顔用具。
【請求項７】
前記布帛（ａ）が、複数枚重ね合わされた構成で使用されて前記袋状物を構成していることを特徴とする請求項１〜６のいずれかに記載の洗顔用具。
【請求項８】
請求項１〜７のいずれかに記載の洗顔用具を使用して、袋状物内に粉末状洗顔料を収納して、泡立てに供することを特徴とする洗顔用泡立て方法。
【請求項９】
粉末状洗顔料として、平均粒径１０μｍ以上１０００μｍ以下のものを用いることを特徴とする請求項９に記載の洗顔用泡立て方法。
【発明の詳細な説明】
【技術分野】
【０００１】
本発明は、洗顔用具と洗顔用泡立て方法に関する。
【０００２】
さらに詳しくは、洗顔時に、洗顔料によるきめ細かくクリーミィな泡を形成させて洗顔するのに好適に用いることのできる洗顔用具と洗顔用泡立て方法に関する。
【背景技術】
【０００３】
従来、１．１デシテックス以下などの極細繊維（以下、マイクロファイバーということがある）からなる布帛を洗顔時に用いることにより、石けんなどの洗顔料をクリーミィに泡立たせて洗顔をすることが可能となり、それにより毛穴の奥とか鼻の脇等にまで効果的な洗顔効果を与え得ることが知られている。
【０００４】
そして、そのような１．１デシテックス以下などの極細繊維からなる布帛を、洗顔時に扱いやすくするなどの観点から特別な形態をなして構成させた洗顔用具なども提案されている。
【０００５】
例えば、１デニール（約１．１デシテックス）以下の極細繊維よりなる布材で布袋を形成し、その開口部周縁にメッシュ状の泡立て部材を取り付け、布袋は、二重布としてこの布には多数の小孔を設けて洗顔具を形成すること、そして、その使用方法としては、該メッシュ状の泡立て部材へ洗顔料をとり、当該泡立て部材を揉んで洗顔料を泡立て、該泡立った洗顔料が附着した泡立て部材を布袋の内側へ押し込み、その上で、布袋を手先にはめて、泡立った洗顔料を布袋に設けた小孔から外部へ押し出しながら該布袋を皮膚にあてて洗顔するという提案がされている（特許文献１）。
【０００６】
また、化粧落とし及び洗顔用に用いるミトン型手袋で、手袋本体の内側はマイクロファイバー製の布で、手袋の裏面はメッシュの布で周りをテープ状の布で縫製して、かつ親指を通すための輪を設けたという洗顔用の手袋が提案されている（特許文献２）。
【０００７】
しかし、これらの提案になるものは、きめ細かなクリーミィな泡をより大量に発生させて、かつその大量のきめ細かなクリーミィな泡・泡立ちを、洗顔動作中、良好に継続・保持し得て、より効果的な洗顔動作を行うという点ではいまだ不十分なものであった。
【特許文献１】特開２００５−９５２５２号公報
【特許文献２】特開２００５−２４０２５４号公報
【発明の開示】
【発明が解決しようとする課題】
【０００８】
本発明の目的は、上述したような点に鑑み、洗顔料を使用して洗顔をするに際して、非常にきめ細かなクリーミィな泡をより多く発生させ得るとともに、かつその大量のきめ細かなクリーミィな泡・泡立ちを良好に持続し得て、毛穴の奥や小鼻の脇などの落ちにくい顔の汚れや古い角質の除去などの洗顔動作を、より繊細な使用感覚とタッチで行うことを可能とし、結果として、より精美で優れた洗顔効果を得ることを可能にする洗顔用具とその洗顔用具を用いた洗顔用泡立て方法を提供することにある。
【課題を解決するための手段】
【０００９】
上述した目的を達成する本発明の洗顔用具は、以下の（１）の構成からなる。
（１）単繊維繊度が０．００１ｄｔｅｘ以上、１ｄｔｅｘ以下の合成繊維で構成された布帛（ａ）と、編目密度が２０個／ｃｍ2 以上、１０００個／ｃｍ2 以下である編物（ｂ）からなり、かつ該編物（ｂ）が複数枚積層された構成で使用され、全体が袋状物に形成されてなることを特徴とする洗顔用具。
【００１０】
かかる本発明の洗顔用具において、より具体的な態様として、好ましくは、以下の（２）〜（８）のいずれかに記載のものである。
（２）前記編物（ｂ）が複数枚積層された構成で使用されている該編物（ｂ）積層部分における単位面積当たりの総繊維表面積が１．０ｍ2 ／ｍ2 以上、１００ｍ2 ／ｍ2 以下であることを特徴とする上記（１）記載の洗顔用具。
（３）前記編物（ｂ）が複数枚積層された構成で使用されている該編物（ｂ）積層部分における単位面積当たりの総編目個数が５０個／ｃｍ2 以上、５０００個／ｃｍ2 以下であることを特徴とする上記（１）または（２）記載の洗顔用具。
（４）前記布帛（ａ）が、単繊維繊度０．００１ｄｔｅｘ以上、０．０２ｄｔｅｘ以下の極細合成繊維が織成された極細合成繊維織物であることを特徴とする上記（１）〜（３）のいずれかに記載の洗顔用具。
（５）前記布帛（ａ）を構成する極細合成繊維が、丸断面の極細合成繊維であることを特徴とする上記（４）記載の洗顔用具。
（６）前記編物（ｂ）が、実質的にプレーンな編物生地であることを特徴とする上記（１）〜（５）のいずれかに記載の洗顔用具。
（７）前記布帛（ａ）が、複数枚重ね合わされた構成で使用されて前記袋状物を構成していることを特徴とする上記（１）〜（６）のいずれかに記載の洗顔用具。
【００１１】
また、上述した目的を達成する本発明の洗顔用泡立て方法は、以下の（８）の構成からなる。
（８）上記（１）〜（７）のいずれかに記載の洗顔用具を使用して、袋状物内に粉末状洗顔料を収納して、泡立てに供することを特徴とする洗顔用泡立て方法。
【００１２】
かかる本発明の洗顔用泡立て方法において、より具体的態様として、好ましくは、以下の（９）に記載のものである。
（９）粉末状洗顔料として、平均粒径１０μｍ以上１０００μｍ以下のものを用いることを特徴とする上記（８）に記載の洗顔用泡立て方法。
【発明の効果】
【００１３】
本発明の洗顔用具によれば、洗顔料を使用して洗顔をするに際して、非常にきめ細かな泡を簡単により多く発生させることができるとともに、かつ、その大量のきめ細かな泡・泡立ち状況を良好に持続することができ、そのきめ細かな泡によって毛穴の奥や小鼻の脇や奥などの落ちにくい顔の汚れや古い角質の除去などの洗顔動作をより繊細な使用感覚とタッチで行うことを可能にして、結果として、より精美で優れた洗顔効果を得ることを可能にする洗顔用具が提供される。
【００１４】
本発明の洗顔用具、洗顔方法（洗顔用泡立て方法）によれば、きめ細かなクリーミィな泡・泡立ちを途絶えさせてしまうことなく洗顔動作を継続でき、それにより、極細繊維布使いによる繊細でミクロな泡立ち効果と、マイクロファイバーによる繊細で微妙なタッチで、皮膚表面に該ミクロでクリーミィな大量の泡を適用することができ、その相乗効果として精美で優れた洗顔効果を得ることができる。
【発明を実施するための最良の形態】
【００１５】
以下、図面などを用いて、更に詳しく本発明の洗顔用具と洗顔用泡立て方法について説明する。
【００１６】
本発明の洗顔用具は、単繊維繊度が０．００１ｄｔｅｘ以上、１ｄｔｅｘ以下の合成繊維で構成された布帛（ａ）と、編目密度が２０個／ｃｍ2 以上、１０００個／ｃｍ2 以下である編物（ｂ）からなり、かつ該編物（ｂ）が複数枚積層された構成で使用され、全体が袋状物に形成されてなるものである。
【００１７】
図１は、本発明の洗顔用具の一実施態様例をモデル的に示した概略正面図であり、本発明の洗顔用具１は、単繊維繊度が０．００１ｄｔｅｘ以上、１ｄｔｅｘ以下の合成繊維で構成された布帛（ａ）２と、編目密度が２０個／ｃｍ2 以上、１０００個／ｃｍ2 以下である編物（ｂ）３からなり、かつ該編物（ｂ）３が複数枚が積層された構成で使用されて、全体が袋状物に形成されていることを特徴とする。
【００１８】
図１において、５は吊り紐部であり、本発明の洗顔用具１を使用していないときはこの吊り紐部５を用いて洗面所や浴室などにあるフックに引っ掛けて吊し、乾燥などをさせることができる。表側の面の大部分は単繊維繊度が０．００１ｄｔｅｘ以上、１ｄｔｅｘ以下の合成繊維で構成された布帛（ａ）２によって構成されている。
【００１９】
図２は、 図１に示した本発明の一実施態様例である洗顔用具を背面（裏面）から見た概略背面図であり、編物（ｂ）３が背面の大部分を成している。
【００２０】
かかる本発明の洗顔用具は、布帛（ａ）２と編物（ｂ）３とが、縫合部４において、かがり縫いなどによって縫合されて全体構造を形成している。
【００２１】
図３は、図１に示した本発明の一実施態様例である洗顔用具の矢印Ａ方向矢視図（底面図）であり、布帛（ａ）２と編物（ｂ）３の間に形成される空間部分（内部収納部）６には、通常、親指から小指までの手指のほぼ全体を底部から入れてミトン状にして使用することができるようにされている。本発明においては、この内部収納部６には、手指の他に、微粉末状、粉状、塊状、固形直方体状もしくは固形柱状等あるいは液体状、ペースト状、クリーム状などの洗顔料をも収納させながら洗顔を行うことが好ましいものであり、そのようにして使用することにより、クリーミィな泡立ちの継続発生・保持をほとんど完璧に行うことができる。特に、粉末状洗顔料の使用に対して、後述するような利点を有する。
【００２２】
本発明の洗顔用具において、布帛（ａ）２は、単繊維繊度が０．００１ｄｔｅｘ以上、１ｄｔｅｘ以下の極細合成繊維で構成された布帛を用いてなるものである。該布帛は、織物地のようにしっかりとした寸法安定性を有するもので形成するのが最も好ましいが、編地やあるいは不織布で形成されているものでもよい。織物地のようにしっかりとした寸法安定性を有する生地で形成をすれば、本発明においては該布帛（ａ）２の表面に位置する極細合成繊維によって皮膚表面に触れて該皮膚表面にミクロな泡を適用するものであるが、その際に生地面が伸びたりすることもなく、精緻で正確な微妙さとタッチで洗顔を行うことができるものである。
【００２３】
編物（ｂ）３は、編目密度が２０個／ｃｍ2 以上、１０００個／ｃｍ2 以下のものであること、かつ該編物（ｂ）３は複数枚が積層された構成で使用されるものであることが肝要であり、編目密度が上述した範囲を外れる場合は、形成したミクロな泡の保持性と泡の継続発生性の点で劣り、本発明の所期の効果を得ることは難しい。また、編物（ｂ）３は複数枚が積層された構成で使用されていることにより、該編物の有効面積が大きなものとなり上述のミクロな泡の保持性と泡の継続発生性の点でより優れたものとなっている。
【００２４】
本発明において、編目密度は、該編物の１インチ当たりのウエール数とコース数を掛けてその値を編目数として、単位面積として１ｃｍ2 当たりの個数に換算したものである。
【００２５】
図４は、図１に示した本発明の一実施態様例である洗顔用具のＢ−Ｂ断面をモデル的に示した概略断面図であり、編物（ｂ）３が２枚の編物３１、３２の積層として形成され、布帛（ａ）２が布帛２１、２２の積層として構成されている状態を示したものである。
【００２６】
図５は、図１に示した本発明の一実施態様例である洗顔用具のＣ−Ｃ断面をモデル的に示した概略断面図であり、それぞれ２枚の編物、２枚の布帛の積層状態は、袋状底部において折り返されて縫合されていることにより形成されているものである。
【００２７】
布帛（ａ）２と編物（ｂ）３とを縫合して袋状物を形成するに際しては、図５や図１に示したように、その底部開口部において、編物（ｂ）３の端部が布帛（ａ）２の端部よりも２ｍｍ〜２０ｍｍ長くなるようにして縫合して袋状を形成してもよい。そのようにすると水や湯に濡れた状態のときでも、底部開口部を開けやすくなり手指や洗顔料を内部収納部に入れやすくなるので好ましい。
【００２８】
本発明の洗顔用具において、ミクロな泡の保持性と泡の継続発生性の点で、編物（ｂ）３が複数枚積層されて構成されている該編物（ｂ）積層部分における単位面積当たりの総繊維表面積は、１．０ｍ2 ／ｍ2 以上、１００ｍ2 ／ｍ2 以下であることが好ましい。
【００２９】
また、編物（ｂ）３が複数枚積層されて構成されている該編物（ｂ）積層部分における単位面積当たりの総編目個数は５０個／ｃｍ2 以上、５０００個／ｃｍ2 以下であることが好ましい。総繊維表面積と総編目個数のそれぞれが、上述の範囲を満足することにより、ミクロな泡の保持性と泡の継続発生性でより好ましいものとなる。
【００３０】
また、編物（ｂ）は、実質的にプレーンな編物生地であることが好ましい。プレーンな編物生地とは、編目による凹凸構造が激しくなく、例えば、編組織で言えば、ハーフ編みや逆ハーフ編み、サテン編みなどをいうものである。
【００３１】
本発明において、布帛（ａ）は、単繊維繊度が０．００１ｄｔｅｘ以上、０．０２ｄｔｅｘ以下の極細合成繊維が用いられて織成された極細合成繊維織物であることが好ましい。このような細さの極細合成繊維で形成された織物を用いることにより、ミクロでクリーミィな泡を形成させてかつ該泡を良好に保持して、皮膚に該泡を適用することがより良好にできる。
【００３２】
布帛（ａ）を構成する極細合成繊維は、丸断面の極細合成繊維であることが好ましく、断面が尖った部分を持つ三角形状やくさび型などの断面を持つ極細合成繊維は、極細による効果の上にさらに加えて強固なそぎ落とし作用を皮膚面に与える場合があるので、優しいケアを行うために一般的には使用しない方が好ましい。
【００３３】
布帛（ａ）は、編物（ｂ）と同様に、複数枚重ね合わされて前記袋状物を構成していることが好ましく、複数枚重ね合わされて使用されることにより、該布帛の使用面積が大きくなり本発明の所期の効果をより大きく得ることができる。
【００３４】
本発明の洗顔用具を使用して洗顔を行うに際しては、袋状物内に種々の形態の洗顔料を収納して泡立てに供することができる。特に、粉末状洗顔料を用いる使用方法が最も本発明の洗顔用具に最もマッチした使用方法である。本発明の用具では、粉末状などの洗顔料が泡立ちに寄与せず袋状物から脱落するようなことも少ない。特に、裏側をネット状の目の粗い網地や編物とした場合には、洗顔料が脱落するほか、泡の保持性も劣るものになる。
【００３５】
粉末状洗顔料は、脂肪酸塩、Ｎ−アシル化グルタミン酸塩等の粉末状界面活性剤を基剤とし、デンプン、コーンスターチ等の糖類や、タルク、カオリン、酸化チタン等の無機粉体を賦形剤または増量剤として組み合わせてなる粉末状組成物である。かかる粉末状洗顔料を手に取って使用する場合、手からこぼれ落ちて使用性が悪かったり、泡立たせにくいことがある。本発明の洗顔用具を使用して粉末状洗顔料を洗顔に用いることで、このような不具合が生じにくく、良好な泡立ちを達成することができる。
【００３６】
粉末状洗顔料としては、平均粒径１０μｍ以上１０００μｍ以下のものを用いることが好ましく、より好ましくは３０μｍ以上５００μｍ以下である。このような微粉末状のものを用いることにより、よりクリーミィな泡立ちを可能にすることができる点も本発明の特徴である。
【００３７】
本発明において、布帛（ａ）を構成する単繊維繊度が０．００１ｄｔｅｘ以上、１．０ｄｔｅｘ以下の極細繊維は、特に限定されないが、ポリエステル系繊維やポリアミド系繊維などを使用でき、また、円形断面のものや異形断面（非円形断面）のものなどを適宜に使用することができる。それらの極細繊維は、ポリエステル系繊維あるいはポリアミド系繊維などのうちの単独の使用であってもよく、あるいは、ポリエステル系繊維とポリアミド系繊維などの混用使用であってもよい。
【００３８】
本発明において、布帛とは、織物や編物、あるいは不織布のいずれをも含み総称する概念であり、これら単独でも使用でき、さらにはこれらが組合わされた複合布帛としても使用できる。
【００３９】
また、布帛は、立毛パイルを持つ立毛布やタオル地などでもよく、その場合は、立毛パイルを構成する繊維が、単繊維繊度０．００１〜１．０ｄｔｅｘの極細繊維からなるものとするのがよい。
【００４０】
このような単繊維繊度０．００１〜１．０デシテックスの極細合成繊維で構成された布帛を製造する方法は、特に限定されないが、例えば、複数の成分から構成される複合繊維を用いて、該複合成分のうち、一成分を溶出除去する、あるいは各成分ごとに分割する等の、後の極細化加工により極細化が可能にされてなる複合繊維を原料繊維に用いて製布すること等により製造できる。
【００４１】
このような極細繊維を有する繊維布帛の製造は、近年、合成繊維関係業界では広く行われてきているものであり、極細化加工は、繊維の段階や、その集合体たる糸の段階、あるいは繊維布帛に形成された後などの段階で行うことができる。
【００４２】
編物（ｂ）を構成する編糸の構成繊維は、０．００１〜１．０デシテックスレベルの極細繊維としてもよいが、特に極細繊維である必要はなく、通常の衣料用などの太さ（１〜５デシテックスなど）の繊維使いでも十分に良いものでり、その方がある程度のハリ、コシを編物側からも与えることができることから好ましく、洗顔料の泡の存在下、むしろ手の動きと皮膚面へのタッチ感を自在なものになし得る点で、２〜４デシテックス程度の繊維を使用するのが好ましい。
【００４３】
本発明において、編物（ｂ）は、織物などの布帛（ａ）よりも、一般的に伸び縮みがしやすいものであり、手指の挿入・動きや洗顔料の挿入による全体の変形は、該編物（ｂ）の伸縮でも吸収がされるようにするものであり、特に極細繊維を使用する必要はなく、編目の密度の細かさと総存在個数が重要な要素なのである。
【００４４】
本発明の洗顔用具において、全体をポリエステル系合成繊維を使用して構成するのが速乾性に優れ、衛生面でも好ましいと言える。ただし、特に限定されるものでもなく、肌への優しさなどをねらい一部に天然繊維などを使用しても差し支えないものである。
【実施例】
【００４５】
以下、実施例、比較例により、本発明の洗顔用具の具体的構成、効果について更に説明する。なお、本発明の説明で用いたパラメータは、以下の測定方法によるものである。
（１）編物（ｂ）の編目密度：
編物をほぼ皺なく広げた無張力の状態で２．５４ｃｍ当たりのウエール数とコース数を測定し、その値を掛け合わせた値を編目密度（個／ｃｍ2 ）とした。
（２）編物（ｂ）積層部分における単位面積当たりの総繊維表面積：
編物（ｂ）の目付（ｇ／ｃｍ2 ）とその編物（ｂ）を構成する繊維の繊度（デシテックス）（構成する繊維が複数の場合は、各繊維の繊度とその構成比）から単位面積当たりの総繊維表面積（ｍ2 ／ｍ2 ）を算出した。積層されている場合、積層された各編物の単位面積当たり総繊維表面積（ｍ2 ／ｍ2 ）を足し合わせ単位面積当たりの総繊維表面積（ｍ2 ／ｍ2 ）とした。
（３）編物（ｂ）積層部分における単位面積当たりの総編目個数：
編物部（ｂ）を構成する積層された各編物の編目密度の和を単位面積当たりの総編目個数（個／ｃｍ2 ）とした。
実施例１
海島型複合繊維として、トータル繊度６６デシテックス、９フィラメント（７０島／フィラメント）の海島型ポリエステル複合繊維で、島成分がポリエチレンテレフタレートで、海成分がポリエステルの酸成分としてテレフタル酸と５−ナトリウムイソフタル酸の共重合でアルカリ熱水可溶ポリエステルからなる繊維（海島比率は２０：８０）を用いた。この繊維をタテ密度１４１本／２．５４ｃｍ、ヨコ密度１０７本／２．５４ｃｍの平織を通常の織機で製織した。得られた生織を１３０℃×３０分間マレイン酸処理することにより海成分を脆化させた後、８０℃×４５分間水酸化ナトリウム処理することにより、その海成分を完全に除去した。その後、９．８ＭＰａの高圧水流で表面処理を行った。
【００４６】
得られた極細繊維の単繊維繊度は０．０８デシテックスで断面形状は丸断面、織物の厚さは０．１５ｍｍであり、タテ密度１６９本／２．５４ｃｍ、ヨコ密度１２４本／２．５４ｃｍ（それぞれの本数は、分割前の本数）であった。
【００４７】
一方、トータル繊度３３デシテックス、１２フィラメントのポリエチレンテレフタレートでギャクハーフ組織の経編の編地を用意した。ウエル数は３６／２．５４ｃｍ、コース数は５６／２．５４ｃｍで、編目密度は３１２個／ｃｍ2 であり、単位面積当たりの総繊維表面積は１０ｍ2 ／ｍ2 であった。この布帛と編地を用いて、図１から図５に示すようにそれぞれ２枚ずつ積層した後縫製し、本発明の洗顔用具を作製した。得られた編地の単位面積当たりの総編目個数は６２４個／ｃｍ2 であった。
【００４８】
この洗顔用具をお湯に浸し、軽く絞った後、図５の矢印Ａ方向から、以下の組成からなる粉末状洗顔料を入れ、両手で揉むように泡立てを行った。
【００４９】
ラウリン酸Ｋ            ５質量％
ミリスチン酸Ｋ        １０質量％
ステアリン酸Ｋ          ５質量％
バレイショデンプン    ２０質量％
コーンスターチ        ２０質量％
マンニトール          ２０質量％
タルク                ２０質量％
（合計      １００質量％）
この粉末状洗顔料の平均粒径は、５０μｍであった。
【００５０】
泡状洗顔料はこぼれ出ることもなく、かつ編地が２枚積層していたため適度に伸縮し編地どおしがこすれ合うためか、きめ細やかでクリーミィな泡が発生した。発生した泡を布帛の上に載せ泡を介して洗顔したところ、痛みはなく優しい肌触りであった。
【００５１】
次に、石鹸を洗い落とし、洗顔した皮膚をビデオマイクロスコープで観察したところ、毛穴の周りにあった皮脂や汚れはきれいに取り除かれていた。
比較例１
直径８０ミクロンメートルのナイロンモノフィラメントを用いて、平編み組織の編地を用意した。ウエル数は１０／２．５４ｃｍ、コース数は１０／２．５４ｃｍで、編目密度は１６個／ｃｍ2 であり、単位面積当たりの総繊維表面積は１ｍ2 ／ｍ2 であった。
【００５２】
この編地と実施例１で用いた布帛を用いて、布帛は２枚重ね、編地は１枚で用いた他は実施例１と同様に縫製し洗顔用具を作製した。
【００５３】
この洗顔用具を用いて、実施例１と同様に粉末状洗顔料を入れたところ、入れた洗顔料の一部が編地の目からこぼれ落ちた。
【００５４】
さらに、泡立てようとしたところ、泡立ちは良かったが、きめの細かな泡を立てることができず、その泡を用いて洗顔しても満足のいく洗顔ができなかった。
比較例２
８４デシテックス、２４フィラメントのポリエチレンテレフタレート繊維１００％で平織りの織物を用意した。繊維断面は丸断面で、タテ密度は９０本／２．５４ｃｍ、ヨコ密度は８２本／２．５４ｃｍであった。
【００５５】
この布帛と実施例１で用いた編地を用いて図１から図５に示すようにそれぞれ２枚ずつ積層した後、縫製し洗顔用具を作製した。
【００５６】
この洗顔用具を用いて実施例１と同様に粉末状洗顔料を入れ泡立てたところ、布帛が硬すぎうまく泡立たなかっただけでなく、泡自体の大きさも大きなものとなった。また、この布帛で泡を介して顔をこすったが、布帛が直接肌に触り痛くて使用できるものではなかった。
【図面の簡単な説明】
【００５７】
【図１】本発明の洗顔用具の一実施態様例をモデル的に示した概略正面図である。
【図２】図１に示した本発明の一実施態様例である洗顔用具を背面（裏面）から見た概略背面図である。
【図３】図１に示した本発明の一実施態様例である洗顔用具を矢印Ａ方向から見たＡ方向矢視概略図（底面図）である。
【図４】図１に示した本発明の一実施態様例である洗顔用具のＢ−Ｂ断面をモデル的に示したＢ−Ｂ断面概略図である。
【図５】図１に示した本発明の一実施態様例である洗顔用具のＣ−Ｃ断面をモデル的に示したＣ−Ｃ断面概略図である。
【符号の説明】
【００５８】
１：洗顔用具
２、２１、２２：布帛（ａ）
３、３１、３２：編物（ｂ）
４：縫合部
５：吊り紐部
６：内部収納部
【図１】
2007296018.tif 000003
【図２】
2007296018.tif 000004
【図３】
2007296018.tif 000005
【図４】
2007296018.tif 000006
【図５】
2007296018.tif 000007